(57)【特許請求の範囲】
【請求項１】
印鑑を押印する際に紙面の下方に敷かれる捺印マットであって、
略軟性素材から成る所定形状のシート状物における周縁所定箇所に、少なくとも二以上の光源がシート状物の上面から突出することなく配備されるとともに、該シート状物内に電池が内蔵され、該電池から該光源への電気供給のＯＮ・ＯＦＦを制御するスイッチが備えられていることを特徴とする捺印マット。
【請求項２】
前記捺印マットにおいて、前記光源が、前記シート状物における周縁全体に配備されていることを特徴とする請求項１に記載の捺印マット。
【請求項３】
前記捺印マットにおいて、前記シート状物内に、前記光源による発光を点滅させるための制御部が備えられていることを特徴とする請求項１または請求項２に記載の捺印マット。
【請求項４】
前記捺印マットにおいて、前記スイッチが、前記シート状物上面の重量を感知して自動でＯＮ・ＯＦＦを制御する構成であることを特徴とする請求項１から請求項３のいずれかに記載の捺印マット。
【請求項５】
前記捺印マットにおいて、前記スイッチが、前記シート状物上面の障害物を感知して自動でＯＮ・ＯＦＦを制御する構成であることを特徴とする請求項１から請求項３のいずれかに記載の捺印マット。
【発明の詳細な説明】
【技術分野】
【０００１】
本発明は、印鑑を押印する際に紙面の下方に敷かれる捺印マットに関するものである。
【背景技術】
【０００２】
従来、印鑑を押印する場面において、机上に押印対象たる紙面を置いて押印すると、該机上面や印鑑における印面の凹凸具合により、印影が偏るなどして綺麗に押印できない場合が多々ある。かかる不具合を解消すべく、紙面下方に柔軟性のあるもの、例えば新聞や雑誌などを敷いて、その上から押印することにより、綺麗な印影の押印が可能となる。そこで、かかる新聞や雑誌などに代わり、同様に作用する押印専用の捺印マットなるものが開発され、広く普及している。
【０００３】
しかしながら、従来の捺印マットは小型であって、該捺印マットを紙面下方に敷いた際、該紙面に捺印マット全体が隠れてしまって、どの位置に捺印マットがあるのかわからない場合がある。そして、捺印マットの位置がわからないまま、押印者の感覚に頼って実際に押印してみると、捺印マットから外れた位置に押印してしまうことがあり、印影が片押しになるなど綺麗な印影がなされない場合もある。だからといって、捺印マット自体を大型化して押印対象たる紙面からはみ出させることで綺麗な押印は可能となるが、印鑑という限られた範囲における押印のために、捺印マットを大型化することは不経済であり、実用性に欠ける。
【０００４】
上記の問題点を解決しようとして、特許文献１では、捺印マットを透明素材により構成し、該捺印マット下方から光源により発光を行うことで、該発光位置が押印位置として確認可能とする技術が提案されている。
しかしながら、上述した特許文献１に記載の技術においては、捺印マット下方に光源を必要とすることから、該光源を配置するためのスペースが捺印マットより下方に必要となるため、多くの高さスペースを要する構造となっており、結果として全体が大型化してしまって、実用性に欠けるものであった。
【０００５】
【特許文献１】特開２０００―２５５１５２号公報
【発明の開示】
【発明が解決しようとする課題】
【０００６】
そこで本発明は、上記問題点に鑑み、印鑑を押印する際に紙面の下方に敷かれる小型でシート状の捺印マットでありながら、押印位置を的確に視認することを可能にする捺印マットを提供することを目的とするものである。
【課題を解決するための手段】
【０００７】
上記課題を解決するため、請求項１に記載の発明は、印鑑を押印する際に紙面の下方に敷かれる捺印マットであって、略軟性素材から成る所定形状のシート状物における周縁所定箇所に、少なくとも二以上の光源がシート状物の上面から突出することなく配備されるとともに、該シート状物内に電池が内蔵され、該電池から該光源への電気供給のＯＮ・ＯＦＦを制御するスイッチが備えられている構成となっている。
【０００８】
また、請求項２に記載の発明は、前記捺印マットにおいて、前記光源が、前記シート状物における周縁全体に配備されている構成を採用している。
【０００９】
さらに、請求項３に記載の発明は、前記捺印マットにおいて、前記シート状物内に、前記光源による発光を点滅させるための制御部が備えられている構成を採用している。
【００１０】
またさらに、請求項４に記載の発明は、前記捺印マットにおいて、前記スイッチが、前記シート状物上面の重量を感知して自動でＯＮ・ＯＦＦを制御する構成となっている。
【００１１】
そしてまた、請求項５に記載の発明は、前記捺印マットにおいて、前記スイッチが、前記シート状物上面の障害物を感知して自動でＯＮ・ＯＦＦを制御する構成となっている。
【発明の効果】
【００１２】
本発明にかかる捺印マットによれば、印鑑を押印する際に紙面の下方に敷かれることで、押印位置を的確に視認することができるため、片押しなどを防いで確実に綺麗な印影の押印を可能にするといった、優れた効果を奏するものである。
【図面の簡単な説明】
【００１３】
【図１】本発明にかかる捺印マットの一の実施例を示す斜視図である（実施例１）。
【図２】本発明にかかる捺印マットの回路図である。
【図３】本発明にかかる捺印マットの他の実施例を示す斜視図である（実施例２）。
【発明を実施するための形態】
【００１４】
本発明は、印鑑を押印する際に紙面Ｐの下方に敷かれる捺印マット１において、略軟性素材から成る所定形状のシート状物２における周縁２ａ所定箇所に、少なくとも二以上の光源３がシート状物２の上面２ｂから突出することなく配備えられていることを最大の特徴とする。以下、本発明にかかる捺印マットの実施形態を、図面に基づき説明する。
【００１５】
なお、本発明は、下記の実施形態に示した構成・態様に限定されるものではなく、本発明の技術的思想の要旨に逸脱しない範囲で、任意に変更することができるものである。
【実施例１】
【００１６】
図１は、本発明にかかる捺印マット１の第一の実施例を示す斜視図であり、図１（ａ）は、本実施例にかかる捺印マット１の構造形態を示し、図１（ｂ）は該捺印マット１の使用態様を示している。図面に示すように、本実施例にかかる捺印マット１は、小型のシート状物２により構成されている。
【００１７】
シート状物２は、既存の捺印マット素材と同様、略軟性素材から成る。このとき、シート状物２全体がラバー（ゴム）や発泡樹脂などの単一素材から構成されているものが考えられ、あるいは、発泡樹脂等略軟性素材の外面をビニール素材等で被覆して成るような複合素材から構成されているものも考え得る。
【００１８】
シート状物２は、小型であって、既存の捺印マットと同様、平面視において略円形や長方形、その他多角形状を為しており、かかる形状に限定はない。なお、図面では、正方形状とした場合について示している。ところで、ここでいう小型とは、上方に押印対象たる紙面Ｐを置いた際に、該紙面Ｐに隠れる大きさを意味する概念である。
【００１９】
該シート状物２の周縁２ａには、所定箇所に光源３が配備されている。該光源３としては、小型化や省エネルギー性を考慮して、ＬＥＤ（発光ダイオード）を採用することが望ましい。該光源３は、シート状物２の周縁２ａに、該シート状物２の上面２ｂから突出することなく、少なくとも二以上配備されることとなる。なお、図面では、四つの光源３を、正方形状のシート状物２の四隅に配備した態様について示している。
ところで、ここでいう光源３とは、ＬＥＤなどそのものが発光する発光素子のほか、光ファイバーを介して他の発光源からの発光が伝達されて発光しているものも含む概念である。
【００２０】
前記光源３を発光させるべく、前記シート状物２内には、電池４が内蔵されている。かかる電池４の種類については、特に限定するものではないが、シート状物２に内蔵できるよう、いわゆるボタン電池を採用することが望ましい。
【００２１】
ところで、図２の回路図に示すように、前記光源３と電池４との間に、該光源３を点滅発光させるための制御部６を備える態様が考え得る。該制御部６は、まさに光源３を所要時間ごとに点滅発光させるべく制御するものであって、かかる点滅の間隔については任意に決定される。
かかる態様を採用することで、光源３が点滅発光して、押印位置について注意を喚起する作用効果を奏する。
【００２２】
前記シート状物２には、スイッチ５が備えられており、該スイッチ５により前記電池４から該光源３への電気供給のＯＮ・ＯＦＦが制御される。すなわち、スイッチ５がＯＮ操作されることにより、電池４から光源３へ電気が供給され、逆にＯＦＦ操作されることにより、光源３への電気供給がストップする。
【００２３】
該スイッチ５の配置や構造については、特に限定はなく、例えば図面に示すように、指で押すことによりＯＮ・ＯＦＦ切替を行う手動のスイッチ５を、前記シート状物２の上面２ｂ所定箇所に備える態様が考え得る。
【００２４】
また、スイッチ５の構造として、前記シート状物２の上面２ｂに、重量を感知するセンサを装備させ、該センサにより感知したシート状物２の上面２ｂ重量に従って、スイッチ５を自動的にＯＮ・ＯＦＦ制御する態様が考え得る。
かかる態様を採用することで、紙面Ｐ上から捺印マット１に圧がかかることで、自動的にスイッチ５がＯＮ状態となり、光源３が発光することとなる。
【００２５】
さらにまた、スイッチ５の構造として、前記シート状物２の上面２ｂに、障害物を感知するセンサを装備させ、該センサにより感知したシート状物２の上面２ｂの障害物の有無に従って、スイッチ５を自動的にＯＮ・ＯＦＦ制御する態様が考え得る。
かかる態様を採用することで、捺印マット１上に押印対象たる紙面Ｐを置くことで、前記センサが該紙面Ｐを障害物として感知し、自動的にスイッチ５がＯＮ状態となって、光源３が発光することとなる。
【００２６】
以上の通り構成される本実施例にかかる捺印マット１について、次に、その使用態様について説明する。
まず、捺印マット１に手動のスイッチ５が備えられている場合には、該スイッチ５をＯＮにする。これにより、シート状物２の周縁２ａに配備された光源３が発光する。
次いで、押印対象たる紙面Ｐを捺印マット１上に置く。すると、図1（ａ）に示すように、光源３の発光が紙面Ｐを透過して視認することができる。これにより、紙面Ｐによって捺印マット１全体が被覆され隠された状態であっても、該捺印マット１の位置を紙面Ｐ上からでも確認可能である。この状態で押印箇所と捺印マット１の位置を合わせ、該押印箇所へ印鑑を押印する。
押印終了後は、紙面Ｐを捺印マット１上から取り除き、スイッチ５をＯＦＦにして光源３の発光を止め、一連の押印作業が終了する。
【００２７】
なお、スイッチ５について上述したように、シート状物２の上面２ｂ重量に従って、該スイッチ５が自動的にＯＮ・ＯＦＦ制御される態様を採用した場合には、上記使用態様から手動によるスイッチ５のＯＮ・ＯＦＦ操作は省略されることとなる。
すなわち、押印対象たる紙面Ｐを捺印マット１上に置いた後、該捺印マット１に対して紙面Ｐ上から圧をかけることで、自動的にスイッチ５がＯＮ状態となり、シート状物２の周縁２ａに配備された光源３が発光する。
紙面Ｐへの押印終了後は、該紙面Ｐ上から捺印マット１へかけていた圧を止めることで、スイッチ５が自動的にＯＦＦとなって光源３の発光が止まる。その後、紙面Ｐを捺印マット１上から取り除き、一連の押印作業が終了する。
【００２８】
また、スイッチ５について上述したように、シート状物２の上面２ｂの障害物の有無に従って、該スイッチ５が自動的にＯＮ・ＯＦＦ制御される態様を採用した場合には、同様に手動によるスイッチ５のＯＮ・ＯＦＦ操作は省略されることとなる。
すなわち、押印対象たる紙面Ｐを捺印マット１上に置くことで、センサが該紙面Ｐを障害物として感知し、自動的にスイッチ５がＯＮ状態となって、シート状物２の周縁２ａに配備された光源３が発光する。
紙面Ｐへの押印終了後は、該紙面Ｐを捺印マット１上から取り除くことで、スイッチ５が自動的にＯＦＦとなって光源３の発光が止まり、一連の押印作業が終了する。
【実施例２】
【００２９】
図３は、本発明にかかる捺印マット１の第二の実施例を示す斜視図であり、図３（ａ）は、本実施例にかかる捺印マット１の構造形態を示し、図３（ｂ）は該捺印マット１の使用態様を示している。本実施例にかかる捺印マット１は、上述した第一の実施例と光源の配備態様について相違するものである。
【００３０】
すなわち、本実施例にかかる捺印マット１は、図３（ａ）に示すように、前記シート状物２における周縁２ａ全体に、光源３が配備されている構成態様を採用するものである。
かかる構成態様を採用することにより、押印対象たる紙面Ｐを捺印マット１上に置いた際に、図３（ｂ）に示すように、シート状物２の周縁２ａ全体に配備された光源３の発光が紙面Ｐを透過して視認することができるため、捺印マット１の位置と同時に押印すべき位置について、紙面Ｐ上から確実に視認することが可能となり、よりスムーズな押印作業に資することとなる。
【００３１】
なお、本実施例にかかる捺印マット１は、上記光源３の配備態様以外の構成態様並びに使用態様については、上述した第一の実施例と同様であるため、説明は省略する。
【産業上の利用可能性】
【００３２】
本発明にかかる捺印マット１は、所定形状のシート状物２における周縁２ａ所定箇所に光源３を配備させることで、該光源３の発光が紙面Ｐを透過して捺印マット１の位置さらには押印位置を該紙面Ｐ上から的確に視認することができるため、印鑑の片押しなどを防いで確実に綺麗な印影の押印が可能となるため、本発明の産業上の利用可能性は大である。
【符号の説明】
【００３３】
１    捺印マット
２    シート状物
２ａ  周縁
２ｂ  上面
３    光源
４    電池
５    スイッチ
６    制御部
Ｐ    紙面
【図２】
0005408679.tif 000002
【図１】
0005408679.tif 000003
【図３】
0005408679.tif 000004